(57)【要約】【課題】ディスプレイとテンキーとを備えていない簡単な構造でありながら、手元に存在しない電話機の電話番号を発信先電話番号として手元操作で簡単に登録できる。【解決手段】携帯電話機１は、電源スイッチ３、トークボタン４、チェックボタン５、キーロックスイッチ６、着信音量スイッチ７を備えているものの、ディスプレイとテンキーとを備えておらず、登録モード手段２７がトークボタン４の操作回数の違いにより制御部１４の動作様式を着信動作による発信先電話番号登録モードと手動による発信先電話番号登録及び削除モードとのどちらかに設定するので、発信先電話機が手元に存在しなくても、発信先電話機の電話番号を発信先電話番号として携帯電話機１に登録することができる。【選択図】図１
2013214847.tif 000002
【特許請求の範囲】
【請求項１】
携帯可能な容器には、情報を可視化するためのディスプレイと置数用のテンキーとが設けられておらず、電池と電源スイッチとトークボタンと無線送受信部とアンテナとマイクロホンとスピーカと制御部と記憶部とが設けられ、制御部が電源スイッチとトークボタンとの操作に基づき記憶部に発信先電話番号を手動で記録する一方、制御部がトークボタンの操作で無線送受信部を上記記録された発信先電話番号の電話機に無線で通話可能に接続し、制御部が着信限定に設定されている場合は、着信した電話番号が上記記録された発信先電話番号であれば制御部が無線送受信部を上記着信した電話番号の電話機に無線で通話可能に接続し、着信した電話番号が上記記録された発信先電話番号でなければ制御部が無線送受信部を上記着信した電話番号の電話機に接続しないことを特徴とする携帯電話機。
【請求項２】
携帯可能な容器には、情報を可視化するためのディスプレイと置数用のテンキーとが設けられておらず、電池と電源スイッチとトークボタンとチェックボタンと無線送受信部とアンテナとマイクロホンとスピーカと制御部と記憶部とが設けられ、制御部が電源スイッチとトークボタンとチェックボタンとの操作に基づき記憶部に発信先電話番号を手動で記録する一方、制御部がトークボタンの操作で無線送受信部を上記記録された発信先電話番号の電話機に無線で通話可能に接続し、制御部が着信限定に設定されている場合は、着信した電話番号が上記記録された発信先電話番号であれば制御部が無線送受信部を上記着信した電話番号の電話機に無線で通話可能に接続し、着信した電話番号が上記記録された発信先電話番号でなければ制御部が無線送受信部を上記着信した電話番号の電話機に接続しないことを特徴とする携帯電話機。
【請求項３】
トークボタンの操作回数の違い又はチェックボタンの操作回数の違いにより制御部の動作様式が着信動作による発信先電話番号登録モードと手動による発信先電話番号登録モードとのどちらかに設定されることを特徴とする請求項１又は請求項２記載の携帯電話機。
【請求項４】
電源スイッチが携帯可能な容器に電池を収容する電池収容室の開口を塞ぐ蓋で被覆されて外部から目隠しされた状態になることを特徴とする請求項１又は請求項２記載の携帯電話機。
【発明の詳細な説明】
【技術分野】
【０００１】
本発明は、電話番号や電子メール情報等の情報を可視化するためのディスプレイと電話番号を入力する「０」乃至「９」からなる置数用のテンキーとを備えていない簡単な構造の携帯電話機に関する。
【背景技術】
【０００２】
特許文献１で開示された通信装置は、年少者や年長者としての被保護者に所持させる電話機（以下、被保護者用電話機という）に保護者の所持する電話機（以下、保護者用電話機という）の電話番号を予め登録しておき、被保護者が被保護者用電話機の通話ボタンを操作すると、被保護者用電話機が登録された保護者用電話機の電話番号に基づき発呼するようになっている。被保護者用電話機に保護者用電話機の電話番号を予め登録する動作は、次のようになっている。特許文献１の段落００５４及び段落００５５並びに図２に記載されているように、被保護者用電話機に保護者用電話機の電話番号を登録する場合、被保護者用電話機を操作する者が被保護者用電話機の登録ボタンを操作して登録モードを起動した後に被保護者用電話機の３個の電話ボタンのうちの１個を選択して保護者用電話機からの着信を待つ。
【０００３】
次に、保護者用電話機を操作する者が保護者用電話機に被保護者用電話機の電話番号を入力して保護者用電話機の通話ボタンを操作すると、保護者用電話機が入力された被保護者用電話機の電話番号に基づき発呼する。この発呼を被保護者用電話機が着信して保護者用電話機の電話番号を受信すると、被保護者用電話機は保護者用電話機から受信した電話番号を上記選択された電話ボタンに対応づけて発信先電話番号として被保護者用電話機の記憶装置に登録する。
【０００４】
しかしながら、被保護者用電話機が登録モード中に着信した電話番号を発信先電話番号として記憶装置に登録するだけの構成であるため、被保護者用電話機に発信先電話番号を登録する場合に保護者用電話機が手元に存在しないと保護者用電話機の電話番号を発信先電話番号として登録することができないという欠点がある。又、特許文献１の段落００３１及び図２に記載されているように、被保護者用電話機には、電源スイッチ、複数個の緊急連絡ボタン、ディスプレイ、スピーカ、マイク、通話ボタン、終話ボタン、複数個の電話ボタン、複数個の電子メールボタン、登録ボタン等を備えた構成になっているので、電話機の構造が複雑になるという欠点がある。
【先行技術文献】
【特許文献】
【０００５】
【特許文献１】特開２００８‐４２８５４号公報
【発明の概要】
【発明が解決しようとする課題】
【０００６】
本発明は、上記背景技術に鑑みてなされたものであり、電話番号や電子メール情報等の情報を可視化するためのディスプレイと電話番号を入力する「０」乃至「９」からなる置数用のテンキーとを備えていない簡単な構造でありながら、手元に存在しない電話機の電話番号を発信先電話番号として手元操作で簡単に登録することができるようにすることを目的とする。
【課題を解決するための手段】
【０００７】
本発明は、携帯可能な容器には、情報を可視化するためのディスプレイと置数用のテンキーとが設けられておらず、電池と電源スイッチとトークボタンと無線送受信部とアンテナとマイクロホンとスピーカと制御部と記憶部とが設けられているか又は電池と電源スイッチとトークボタンとチェックボタンと無線送受信部とアンテナとマイクロホンとスピーカと制御部と記憶部とが設けられており、制御部が電源スイッチとトークボタンとの操作又は電源スイッチとトークボタンとチェックボタンとの操作に基づき記憶部に発信先電話番号を手動で記録する一方、制御部がトークボタンの操作で無線送受信部と上記記録された発信先電話番号の電話機とを無線で通話可能に接続し、制御部が着信限定に設定されている場合は、着信した電話番号が上記記録された発信先電話番号であれば制御部が無線送受信部と上記着信した電話番号の電話機とを無線で通話可能に接続し、着信した電話番号が上記記録された発信先電話番号でなければ制御部が無線送受信部と上記着信した電話番号の電話機とを接続しないことを特徴とする。
【発明の効果】
【０００８】
本発明は、ディスプレイとテンキーとを備えていない簡単な構造でありながら、手元に存在しない電話機の電話番号を発信先電話番号として手元操作で簡単に登録できるという効果がある。本発明において、トークボタンの操作回数の違い又はチェックボタンの操作回数の違いにより制御部の動作様式が着信動作による発信先電話番号登録モードと手動による発信先電話番号登録モードとのどちらかに設定されれば、発信先電話番号を記憶部に記録する操作を使い分けることができるという効果がある。本発明において、電源スイッチが携帯可能な容器に電池を収容する電池収容室の開口を塞ぐ蓋で被覆されて外部から目隠しされた状態であれば、容器の外部から電源スイッチの存在を認識することができなくなるという効果がある。
【図面の簡単な説明】
【０００９】
【図１】実施の形態に係る携帯電話機を示す構成図。
【図２】実施の形態に係る携帯電話機の起動処理を示すフローチャート。
【図３】実施の形態に係る携帯電話機の起動処理を示すフローチャート。
【図４】実施の形態に係る携帯電話機の発信処理を示すフローチャート。
【図５】実施の形態に係る携帯電話機の着信処理を示すフローチャート。
【図６】実施の形態に係る携帯電話機の特殊操作モード処理を示すフローチャート。
【図７】実施の形態に係る携帯電話機の登録モード処理を示すフローチャート。
【図８】実施の形態に係る携帯電話機の登録モード処理を示すフローチャート。
【図９】実施の形態に係る携帯電話機の着信動作による発信先電話番号登録モード処理を示すフローチャート。
【図１０】実施の形態に係る携帯電話機の着信動作による発信先電話番号登録モード処理を示すフローチャート。
【図１１】実施の形態に係る携帯電話機の手動による発信先電話番号登録モード処理を示すフローチャート。
【図１２】実施の形態に係る携帯電話機の手動による発信先電話番号登録モード処理を示すフローチャート。
【図１３】実施の形態に係る携帯電話機の登録状態の初期化モード処理を示すフローチャート。
【図１４】実施の形態に係る携帯電話機のソフトウェアアップデートモード処理を示すフローチャート。
【図１５】実施の形態に係る携帯電話機のソフトウェアアップデートモード処理を示すフローチャート。
【図１６】実施の形態に係る携帯電話機の着信番号限定動作の設定変更モード処理を示すフローチャート。
【図１７】実施の形態に係る携帯電話機の音声ガイダンスの設定変更モード処理を示すフローチャート。
【図１８】実施の形態に係る携帯電話機の外観を示す斜視図。
【図１９】実施の形態に係る携帯電話機の内部を示す分解斜視図。
【発明を実施するための形態】
【００１０】
図１を参照し、実施の形態に係る携帯電話機１の構成について説明する。携帯電話機１は、電池２、電源スイッチ３、トークボタン４、チェックボタン５、キーロックスイッチ６、着信音量スイッチ７、無線送受信部８、アンテナ９、マイクロホン１０、スピーカ１１、表示灯１２、バイブレータ１３、制御部１４、記憶部１５が図外の携帯可能な容器に設けられた構造である。尚、携帯可能な容器には、情報を可視化するためのディスプレイと置数用のテンキーとが設けられておらず、少なくとも、電池２、電源スイッチ３、トークボタン４又はチェックボタン５と無線送受信部８とアンテナ９とマイクロホン１０とスピーカ１１と制御部１４と記憶部１５とが設けられ、制御部１４が電源スイッチ３とトークボタン４又はチェックボタン５との操作に基づき記憶部１５に発信先電話番号を手動で記録する一方、制御部１４がトークボタン４の操作で無線送受信部８を上記記録された発信先電話番号の図外の電話機に無線で通話可能に接続し、制御部１４が着信限定に設定されている場合は、着信した電話番号が上記記録された発信先電話番号であれば制御部１４が無線送受信部８を上記着信した電話番号の図外の電話機に無線で通話可能に接続し、着信した電話番号が上記記録された発信先電話番号でなければ制御部１４が無線送受信部８を上記着信した電話番号の図外の電話機に接続しないように構成してもよい。
【００１１】
電池２は、携帯電話機１に搭載された電気部品に直流の電力を供給するバッテリーにより構成される。電源スイッチ３は、人の操作により電源を入り切りする。電源スイッチ３が人の操作により電源オンになると、電池２が携帯電話機１の携帯可能な容器に搭載された全ての電気部品に電力を供給する。又、電源スイッチ３が人の操作により電源オフになると、上記全ての電気部品への電力を遮断する。
【００１２】
トークボタン４は、制御部１４に対する入力機器であり、発信と着信及び設定に使用され、人の操作によりオン信号を制御部１４に出力する。例えば、発信及び着信では図４及び図５に示すようにトークボタン４がオンフック及びオフフックとして使用され、設定では図６に示すように設定モードの設定又は図７及び図８に示すように着信動作による発信先番号登録モードの設定又は手動による発信先番号登録及び削除モードの設定又は通知許可情報登録及び削除モードの設定又は登録初期化モードの設定又はソフトウェアアップデートモードの設定のために使用される。チェックボタン５は、制御部１４に対する入力機器であり、圏内外の表示と設定とに使用され、人の操作によりオン信号を制御部１４に出力する。例えば、圏内外の表示では通信が行われていない状態でチェックボタン５からオン信号が制御部１４に入力されると、アンテナ９が図外の無線基地局の通信エリア内に存在する圏内である場合は制御部１４が表示灯１２を緑色に数秒間点灯する一方、アンテナ９が図外の無線基地局の通信エリア外に存在する圏外である場合は制御部１４が表示灯１２を赤色に数秒間点灯するように使用され、設定では図６に示すように登録モードの設定又は図７及び図８に示すように着信動作による発信先番号登録モードの設定に対する確認又は手動による発信先番号登録及び削除モードの設定に対する確認又は通知許可情報登録及び削除モードの設定に対する確認又は登録初期化モードの設定に対する確認又はソフトウェアアップデートモードの設定に対する確認のために使用される。キーロックスイッチ６は、制御部１４に対する入力機器であり、人の操作によりオン信号を制御部１４に出力する。キーロックスイッチ６からオン信号が制御部１４に入力すると、制御部１４は発信動作に関する制御を行わないが着信動作に関する制御と電源スイッチ３とトークボタン４とチェックボタン５との操作とを有効に扱う。着信音量スイッチ７は、制御部１４に対する入力機器であり、人の操作により着信音量の大、小、消音の３段階のいずれか１つに切り替えられることにより、その切り替えられた１つに相当する信号を制御部１４に出力する。
【００１３】
無線送受信部８は、電源スイッチ３が電源オンになり、電池２からの電力で動作した制御部１４の制御に基づきアンテナ９を経由して無線通信網の無線基地局と無線通信を行うものであって、通話機能とデータ通信機能とを備えた構成である。通話機能は、音声により通話する機能であり、例えば、一方の通話者が「もしもし」という言葉を発するのに対し、他方の通話者が「はいはい」という言葉で応じて会話することができる機能である。データ通信機能は、文字や記号あるいは画像（静止画像、動画像、またはそれら両方の画像）を表現する情報を双方向に送受信する機能である。
【００１４】
マイクロホン１０は、制御部１４に対する入力機器であり、音声や音を集音して電気信号に変換して制御部１４に出力する。スピーカ１１は、制御部１４に対する出力機器であり、制御部１４から出力された電気信号を音声や音に変換して出力する。表示灯１２は、制御部１４に対する出力機器であり、制御部１４からの出力信号により圏内外の表示、電池残量警告の表示、動作様式の表示、通信状態の表示を行なう。バイブレータ１３は、制御部１４に対する出力機器であり、電源オンの時と着信の時とにおける制御部１４からの出力信号により振動して着信音を鳴動する。バイブレータ１３による振動を人の操作により無効にすることはできないようになっている。
【００１５】
制御部１４は、ＣＰＵ２１、ＲＯＭ２２、ＲＡＭ２３、発信制御手段２４、着信制御手段２５、特殊操作手段２６、登録モード手段２７、設定モード手段２８を備える。ＣＰＵ２１は、電源スイッチ３、トークボタン４、チェックボタン５、キーロックスイッチ６、着信音量スイッチ７からの入力信号により、ＲＯＭ２２に格納されたプログラムに従い、ＲＡＭ２３に記憶される情報を使用しながら、通信網を利用する通信ルールであるプロトコルに則って動作して、発信処理、着信処理、特殊操作処理、登録処理、設定処理等の処理を実行し、その実行結果として記憶部１５を使用すると共に無線送受信部８、マイクロホン１０、スピーカ１１、表示灯１２、バイブレータ１３を制御する。発信制御手段２４、着信制御手段２５、特殊操作手段２６、登録モード手段２７、設定モード手段２８は、ＣＰＵ２１の動作で具現化される。
【００１６】
記憶部１５は、フラッシュメモリにより構成され、発信先電話番号データベース３１、音声ガイダンスデータベース３２、表示灯データベース３３を備える。発信先電話番号データベース３１には、登録モード手段２７の動作により、発信先電話番号が１つだけ記録されるが、２つ以上は記録できないようになっている。音声ガイダンスデータベース３２には、記憶部１５の生産時点において、種々の入力と種々の音声案内情報とを一対一に対応させて記録されている。表示灯データベース３３には、記憶部１５の生産時点において、種々の入力と種々の発光表示形態とを一対一に対応させて記録されている。
【００１７】
実施の形態に係る携帯電話機１は、電源スイッチ３、トークボタン４、チェックボタン５、キーロックスイッチ６、着信音量スイッチ７を備えているものの、電話番号や電子メール情報等の情報を可視化するためのディスプレイと電話番号を入力する「０」乃至「９」からなる１０個の置数用のテンキーと「＊＃」を表すキーとを備えていない簡単な構造になっている。又、実施の形態に係る携帯電話機１は、電池２が図外の携帯可能な容器に装着され、電源スイッチ３が人の操作により電源オンになると、電池２から全ての電気部品に電力が供給され、ＲＯＭ２２のファームプログラムが起動して携帯電話機１の動作が可能になる。
【００１８】
その状態において、登録モード手段２７により、図外の発信先としての別の電話機の電話番号を発信先電話番号として登録する場合、その発信先としての別の電話機が手元に存在しなくても、発信先としての別の電話機の電話番号を発信先電話番号として携帯電話機１に登録することができるようになっている。以下、図外の発信先としての別の電話機を発信先電話機と表現する。尚、実施の形態に係る携帯電話機１を年少者や年長者としての被保護者に所持させ、発信先電話機を年少者の親であり年長者の子である保護者に所持させることが考えられる。被保護者が携帯電話機１を所持した場合は、携帯電話機１が被保護者用電話機となり、保護者が発信先電話機を所持した場合は、発信先電話機が保護者用電話機となる。
【００１９】
又、登録モード手段２７がトークボタン４の操作回数の違いにより制御部１４の動作様式を着信動作による発信先電話番号登録モードと手動による発信先電話番号登録及び削除モードとのどちらかに設定する。例えば、トークボタン４の操作回数が１回の場合は登録モード手段２７が携帯電話機１の動作様式を着信動作による発信先電話番号登録モードに設定し、トークボタン４の操作回数が２回の場合は登録モード手段２７が携帯電話機１の動作様式を手動による発信先電話番号登録及び削除モードに設定する。従って、携帯電話機１の所持者が発信先電話番号を携帯電話機１の発信先電話番号データベース３１に登録する場合にトークボタン４を２回操作して携帯電話機１の動作様式を手動による発信先電話番号登録及び削除モードに設定する。
【００２０】
その状態において、携帯電話機１の所持者がトークボタン４を操作すると、トークボタン４が操作されるたびに「１２３４５６７８９０＊＃ポーズ」を順に巡回すると共に巡回する「１２３４５６７８９０＊＃ポーズ」に対応する音声ガイダンスを音声ガイダンスデータベースから選択してスピーカ１１から放音する。ポーズは「＃から１」に移行する際の時間的な間を意味する。そして、発信先電話番号の数値に相当する番号が巡回した場合に、携帯電話機１の所持者がチェックボタン５を操作すると、登録モード手段２７が上記発信先電話番号の数値に相当する番号を発信先電話番号の数値として発信先電話番号データベース３１に記録する。
【００２１】
よって、実施の形態に係る携帯電話機１に発信先電話機の電話番号を発信先電話番号として登録する場合、発信先電話機が手元に存在しなくても、発信先電話機の電話番号を発信先電話番号として携帯電話機１に登録することができるので、携帯電話機１を被保護者用電話機として使用する場合において、当該被保護者用電話機としての携帯電話機１に保護者用電話機の電話番号を発信先電話番号として登録する場合、保護者用電話機が手元に存在しなくても、保護者用電話機の電話番号を発信先電話番号として被保護者用電話機としての携帯電話機１に登録することができる。尚、トークボタン４に代替してチェックボタン５の操作回数の違いにより制御部１４の動作様式を着信動作による発信先電話番号登録モードと手動による発信先電話番号登録及び削除モードとのどちらかに設定するようにしてもよい。
【００２２】
図２乃至図１７を参照し、実施の形態に係る携帯電話機１の動作について説明する。図２乃至図１７の説明において、携帯電話機１、電池２、電源スイッチ３、トークボタン４、チェックボタン５、キーロックスイッチ６、着信音量スイッチ７、無線送受信部８、アンテナ９、マイクロホン１０、スピーカ１１、表示灯１２、バイブレータ１３、制御部１４、記憶部１５、ＣＰＵ２１、ＲＯＭ２２、ＲＡＭ２３、発信制御手段２４、着信制御手段２５、特殊操作手段２６、登録モード手段２７、設定モード手段２８、発信先電話番号データベース３１、音声ガイダンスデータベース３２、表示灯データベース３３の構成部材については、図１を参照されたい。
【００２３】
先ず、図２及び図３において、携帯電話機１の電源スイッチ３が電源オンになったときの起動処理を説明する。電池２を装着した携帯電話機１の電源スイッチ３が電源オンになると、電池２から電力が携帯電話機１の全ての電気部品に供給され、ＲＯＭ２２のファームプログラムが起動する。そして、ファームプログラムの起動が完了すると、ＣＰＵ２１による図２の起動処理が始まる。つまり、ファームプログラムの起動が完了しなければ、ステップ１０１での判断がＮＯになり、ステップ１０１に戻る。ファームプログラムの起動が完了すると、ステップ１０１での判断がＹＥＳになり、ステップ１０２に進む。
【００２４】
ステップ１０２では、ＲＯＭ２２の状態を判断する。ＲＯＭ２２の状態としては、灰ＲＯＭ２２と白ＲＯＭ２２と黒ＲＯＭ２２との３つの状態のうちの１つの状態になっている。灰ＲＯＭ２２は、携帯電話機１の電話番号がＲＯＭ２２に記録されているものの、通信事業者との通信契約が有効になっていない状態である。白ＲＯＭ２２は、携帯電話機１の電話番号がＲＯＭ２２に記録されていないうえ、通信事業者との通信契約も有効になっていない状態である。黒ＲＯＭ２２は、携帯電話機１の電話番号がＲＯＭ２２に記録されており、通信事業者との通信契約も有効になっている状態である。
【００２５】
ステップ１０２での判断において、ＲＯＭ２２の状態が灰ＲＯＭ２２と判断された場合はステップ１０３に進み、ＲＯＭ２２の状態が白ＲＯＭ２２と判断された場合はステップ１０４に進み、ＲＯＭ２２の状態が黒ＲＯＭ２２と判断された場合はステップ１０６に進む。ステップ１０３では、ＣＰＵ２１による音声ガイダンスの処理が行われる。この音声ガイダンスの処理では、ＣＰＵ２１が音声ガイダンスデータベース３２から灰ＲＯＭ２２に対応する音声案内情報を抽出し、その抽出した音声案内情報により電気信号をスピーカ１１に供給する。これにより、スピーカ１１が上記音声案内情報による音声を、例えば「この端末の電話番号は×××‐××××‐××××です。現在電話機能はご使用になれません。」と放出し、起動処理を終わる。
【００２６】
ステップ１０４では、ＣＰＵ２１による携帯電話機１と通信事業者との間での無線による発番処理が行われる。この発番処理では、ＣＰＵ２１が無線送受信部８を作動し、無線送受信部８が発番処理の発信をアンテナ９から通信エリア内の図外の無線基地局及び通信網を経由して携帯電話機１に関係する通信事業者に行う。そして、携帯電話機１と通信事業者との通信経路が設定され、携帯電話機１と通信事業者との間での発番に必要な通信が行なわれて通信契約が有効になると、通信事業者から携帯電話機１に携帯電話機１の電話番号が送信される。この送信された電話番号を受信した携帯電話機１のＣＰＵ２１は受信した電話番号をＲＯＭ２２の書き換え可能な領域に記録する。その後、ステップ１０５では、発番処理が成功したかをＣＰＵ２１が判断する。通信事業者から送信された電話番号がＲＯＭ２２の書き換え可能な領域に記録されていなければ、ステップ１０５での判断がＮＯになり、ステップ１０３に進む。逆に、通信事業者から送信された電話番号がＲＯＭ２２の書き換え可能な領域に記録されていれば、ステップ１０５での判断がＹＥＳになり、ステップ１０６に進む。
【００２７】
ステップ１０６では、携帯電話機１がリモートロックされた状態かをＣＰＵ２１が判断する。携帯電話機１がリモートロックされた状態とは、トークボタン４がオン信号を制御部１４に出力しても、制御部１４が発信を行なうことなく着信を待ち受けるだけの状態になる。よって、携帯電話機１がリモートロックされていない状態であれば、ステップ１０６での判断がＮＯになり、図３のステップ１１２に進む。図２に戻り、携帯電話機１がリモートロックされた状態であれば、ステップ１０６での判断がＹＥＳになり、ステップ１０７に進む。ステップ１０７では、ＣＰＵ２１が着信限定の状態かを判断する。携帯電話機１が着信限定の状態になっていれば、ステップ１０７での判断がＹＥＳになり、ステップ１０８に進む。逆に、携帯電話機１が着信限定の状態でなければ、ステップ１０７での判断がＮＯになり、ステップ１１０に進む。
【００２８】
ステップ１０８では、ＣＰＵ２１が制御部１４を発信不可着信限定待ち受け状態に設定する処理を行う。ステップ１０８で設定された発信不可着信限定待ち受け状態では、リモートロックされているので、トークボタン４がオン信号を制御部１４に出力しても、制御部１４が発信しない状態である。次に、ステップ１０９では、ＣＰＵ２１による音声ガイダンスの処理が行われる。この音声ガイダンスの処理では、ＣＰＵ２１が音声ガイダンスデータベース３２から発信不可着信限定待ち受け状態に対応する音声案内情報を抽出し、その抽出した音声案内情報により電気信号をスピーカ１１に供給する。これにより、スピーカ１１が上記音声案内情報による音声を、例えば「ロック中です。発信はできません。着信限定です。」と放出し、起動処理を終わる。
【００２９】
ステップ１１０では、ＣＰＵ２１が制御部１４を発信不可待ち受け状態に設定する処理を行う。ステップ１１０で設定された発信不可待ち受け状態では、リモートロックされているので、トークボタン４がオン信号を制御部１４に出力しても、制御部１４が発信しない状態である。次に、ステップ１１１では、ＣＰＵ２１による音声ガイダンスの処理が行われる。この音声ガイダンスの処理では、ＣＰＵ２１が音声ガイダンスデータベース３２から着信限定でない発信不可待ち受け状態に対応する音声案内情報を抽出し、その抽出した音声案内情報により電気信号をスピーカ１１に供給する。これにより、スピーカ１１が上記音声案内情報による音声を、例えば「ロック中です。発信はできません。着信限定ではありません。」と放出し、起動処理を終わる。
【００３０】
図３では、携帯電話機１がリモートロックされていない状態であり、ステップ１１２において、発信先が登録済かをＣＰＵ２１が判断する。ＣＰＵ２１が発信先電話番号データベース３１を検索し、発信先電話番号データベース３１に発信先電話番号が登録されていなければ、ステップ１１２での判断がＮＯになり、ステップ１１８に進み、発信先電話番号データベース３１に発信先電話番号が登録されていれば、ステップ１１２での判断がＹＥＳになり、ステップ１１３に進む。ステップ１１３では、ＣＰＵ２１が着信限定の状態かを判断する。携帯電話機１が着信限定の状態でなければ、ステップ１１３での判断がＮＯになり、ステップ１１６に進み、携帯電話機１が着信限定の状態であれば、ステップ１１３での判断がＹＥＳになり、ステップ１１４に進む。
【００３１】
ステップ１１４では、ＣＰＵ２１が制御部１４を着信限定待ち受け状態に設定する処理を行う。ステップ１１４で設定された着信限定待ち受け状態では、リモートロックされていないうえ、発信先電話番号データベース３１に発信先電話番号が登録されているので、トークボタン４がオン信号を制御部１４に出力すると、制御部１４が発信する状態である。次に、ステップ１１５では、ＣＰＵ２１による音声ガイダンスの処理が行われる。この音声ガイダンスの処理では、ＣＰＵ２１が音声ガイダンスデータベース３２から着信限定待ち受け状態に対応する音声案内情報を抽出し、その抽出した音声案内情報により電気信号をスピーカ１１に供給する。これにより、スピーカ１１が上記音声案内情報による音声を、例えば「この端末の電話番号は×××‐××××‐××××です。登録された発信先電話番号は×××‐××××‐××××です。着信限定です。」と放出し、起動処理を終わる。
【００３２】
ステップ１１６では、ＣＰＵ２１が制御部１４を通常待ち受け状態に設定する処理を行う。ステップ１１６で設定された通常待ち受け状態では、リモートロックされていないうえ、発信先電話番号データベース３１に発信先電話番号が登録されているので、トークボタン４がオン信号を制御部１４に出力すると、制御部１４が発信する状態である。次に、ステップ１１７では、ＣＰＵ２１による音声ガイダンスの処理が行われる。この音声ガイダンスの処理では、ＣＰＵ２１が音声ガイダンスデータベース３２から通常待ち受け状態に対応する音声案内情報を抽出し、その抽出した音声案内情報により電気信号をスピーカ１１に供給する。これにより、スピーカ１１が上記音声案内情報による音声を、例えば「この端末の電話番号は×××‐××××‐××××です。登録された発信先電話番号は×××‐××××‐××××です。着信限定ではありません。」と放出し、起動処理を終わる。
【００３３】
ステップ１１８では、ＣＰＵ２１が制御部１４を発信不可待ち受け状態に設定する処理を行う。ステップ１１８で設定された発信不可待ち受け状態では、リモートロックされていないもの、発信先電話番号データベース３１に発信先電話番号が登録されていないので、トークボタン４がオン信号を制御部１４に出力しても、制御部１４が発信しない状態である。次に、ステップ１１９では、ＣＰＵ２１による音声ガイダンスの処理が行われる。この音声ガイダンスの処理では、ＣＰＵ２１が音声ガイダンスデータベース３２から発信不可待ち受け状態に対応する音声案内情報を抽出し、その抽出した音声案内情報により電気信号をスピーカ１１に供給する。これにより、スピーカ１１が上記音声案内情報による音声を、例えば「この端末の電話番号は×××‐××××‐××××です。着信限定ではありません。」と放出し、起動処理を終わる。
【００３４】
図４を参照し、携帯電話機１の発信処理について説明する。発信処理は、図１示す発信制御手段２４が行なうものであり、発信先電話番号データベース３１に記録された発信先電話番号の電話機とだけ通信経路を構築して通話を行なうようになっている。具体的には、図２及び図３の起動処理が終了した状態において、図４のステップ２０１では、発信制御手段２４が着信を待ち受ける状態に設定され、ステップ２０２に進む。ステップ２０２では、トークボタン４の状態を判断する。トークボタン４がオン信号を制御部１４に出力しなければ、ステップ２０２での判断がＮＯになり、ステップ２０１に戻る。トークボタン４がオン信号を制御部１４に出力すると、ステップ２０２での判断がＹＥＳになり、ステップ２０３に進む。ステップ２０３では、発信先電話番号が発信先電話番号データベース３１に記録されているかを判断する。発信先電話番号が発信先電話番号データベース３１に記録されていなければ、ステップ２０３での判断がＮＯになり、ステップ２１０に進み、発信先電話番号が発信先電話番号データベース３１に記録されていれば、ステップ２０３での判断がＹＥＳになり、ステップ２０４に進む。
【００３５】
ステップ２０４では、発信先電話番号データベース３１から発信先電話番号を抽出して無線送受信部８を作動し、無線送受信部８が発信先電話番号に基づきアンテナ９から無線で通信エリア内における図外の無線基地局に発信すると共に表示灯１２を緑色に点滅させて発信先電話番号の電話機に対する通信経路構築中を表示し、ステップ２０５に進む。ステップ２０５では、発信が成功したかを判断する。発信先電話番号の電話機が設定時間内にオフフックされなければ、発信先電話番号の電話機と無線送受信部８との通信経路が構築されず、ステップ２０５での判断がＮＯになり、ステップ２１２に進み、発信先電話番号の電話機が制御部１４に設定された設定時間内にオフフックされて、発信先電話番号の電話機と無線送受信部８との通信経路が構築されると、ステップ２０５での判断がＹＥＳになり、ステップ２０６に進む。
【００３６】
ステップ２０６では、表示灯１２を緑色に点滅させて携帯電話機１と発信先電話番号の電話機とが通話中であることを表示し、ステップ２０７に進む。ステップ２０６での通話中に対する表示灯１２の緑色点滅は、ステップ２０４での発信中に対する表示灯１２の緑色点滅と点滅の態様が異なる。ステップ２０７では、トークボタン４の状態を判断する。通話中において、トークボタン４がオン信号を制御部１４に出力しなければ、オフフックのままの通話中であると判断し、ステップ２０７での判断がＮＯになり、ステップ２０６に戻る。通話中において、トークボタン４がオン信号を制御部１４に出力すると、オンフックであると判断し、ステップ２０７での判断がＹＥＳになり、ステップ２０８に進む。ステップ２０８では、携帯電話機１と発信先電話番号の電話機との通信経路を切断し、ステップ２０９に進む。ステップ２０９では、表示灯１２を消灯して発信処理を終了する。
【００３７】
ステップ２１０では、表示灯１２を橙色に点灯させて発信先電話番号が発信先電話番号データベース３１に記録されていないことを表示し、ステップ２１１に進む。ステップ２１１では、発信制御手段２４による音声ガイダンスの処理が行われる。この音声ガイダンスの処理では、発信制御手段２４が音声ガイダンスデータベース３２から発信先電話番号が発信先電話番号データベース３１に記録されていないことに対応する音声案内情報を抽出し、その抽出した音声案内情報により電気信号をスピーカ１１に供給する。これにより、スピーカ１１が上記音声案内情報による音声を、例えば「発信先電話番号が登録されていません。発信はできません。」と放出し、ステップ２０９を経由して発信処理を終了する。
【００３８】
ステップ２１２では、表示灯１２を橙色に点滅させて携帯電話機１と発信先電話番号の電話機との通信経路の構築に失敗したことを表示し、ステップ２１３に進む。ステップ２１３では、トークボタン４の状態を判断する。発信中において、トークボタン４がオン信号を制御部１４に出力しなければ、オフフックのままの発信中であると判断し、ステップ２１３での判断がＮＯになり、ステップ２１２に戻る。発信中において、トークボタン４がオン信号を制御部１４に出力すると、オンフックであると判断し、ステップ２１３での判断がＹＥＳになり、ステップ２０８及びステップ２０９を経由して発信処理を終了する。
【００３９】
図５を参照し、携帯電話機１の着信処理について説明する。着信処理は、図１示す着信制御手段２５が行なうものであり、図５に示すように、発番に等しい着番を有する電話機からの着信に対してだけ、通信経路を構築して通話を行なうようになっている。発番は発信先電話番号データベース３１に記録された発信先電話番号であり、着番は携帯電話機１に着信した電話番号である。
【００４０】
具体的には、図５のステップ３０１では、図２及び図３の起動処理が終了した状態において、着信制御手段２５が着信を待ち受ける状態に設定され、図５のステップ３０２に進む。ステップ３０２では、着信限定に設定されているかを判断する。制御部１４が着信限定に設定されていなければ、ステップ３０２の判断がＮＯになり、ステップ３０４に進み、制御部１４が着信限定に設定されていれば、ステップ３０２の判断がＹＥＳになり、ステップ３０３に進む。ステップ３０３では、アンテナ９から無線送受信部８を経由して制御部１４が着信を受信した着番が発番に等しいかを判断する。着番が発番に等しくなければ、ステップ３０３がＮＯになり、ステップ３０９に進み、着番が発番に等しければ、ステップ３０３の判断がＹＥＳになり、ステップ３０４に進む。
【００４１】
ステップ３０４では、バイブレータ１３を振動させて着信音を鳴動すると共に表示灯１２を緑色に点滅させて携帯電話機１への着信を表示し、ステップ３０５に進む。ステップ３０５では、着信からの経過時間に対するカウントを開始し、ステップ３０６に進む。ステップ３０６では、トークボタン４の状態を判断する。トークボタン４がオン信号を制御部１４に出力しなければ、ステップ３０６での判断がＮＯになり、ステップ３１０に進み、トークボタン４がオン信号を制御部１４に出力すると、ステップ３０６での判断がＹＥＳになり、ステップ３０７に進む。
【００４２】
ステップ３０７では、表示灯１２を緑色に点滅させて携帯電話機１と発番に等しい着番の電話機との通話中であることを表示し、ステップ３０８に進む。ステップ３０７での通話中に対する表示灯１２の緑色点滅は、ステップ３０４での着信鳴動中に対する表示灯１２の緑色点滅と点滅の態様が異なる。ステップ３０８では、トークボタン４の状態を判断する。通話中において、トークボタン４がオン信号を制御部１４に出力しなければ、オフフックのままの通話中であると判断し、ステップ３０８での判断がＮＯになり、ステップ３０７に戻る。通話中において、トークボタン４がオン信号を制御部１４に出力すると、オンフックであると判断し、ステップ３０８での判断がＹＥＳになり、ステップ３０９に進む。ステップ３０９では、携帯電話機１と発番に等しい着番の電話機との通信経路を切断すると共に表示灯１２を消灯して着信処理を終了する。
【００４３】
ステップ３１０では、ステップ３０５で開始された着信からの経過時間に対するカウント値が制御部１４に設定された呼び出し設定時間に到達したか、つまり、着信からの経過時間に対するカウント値がタイムアップかを判断する。着信からの経過時間に対するカウント値が呼び出し設定時間に到達していないことからタイムアップしていなければ、ステップ３１０での判断がＮＯになり、ステップ３０６に戻る。着信からの経過時間に対するカウント値が呼び出し設定時間に到達してタイムアップすれば、ステップ３１０での判断がＹＥＳになり、ステップ３１１に進む。ステップ３１１では、ステップ３０５で着信からの経過時間に対するカウントを開始したカウンタをリセットしてゼロに戻し、ステップ３０９を経由して着信処理を終了する。
【００４４】
尚、ステップ３０３での判断がＮＯの場合に対するステップ３０９での通信経路の切断処理は、携帯電話機１と発番に等しくない着番の電話機との通信経路を切断すると共に表示灯１２を消灯して着信処理を終了する。又、ステップ３１１を経由した場合に対するステップ３０９での通信経路の切断処理は、携帯電話機１と発番に等しい着番の電話機との通信経路を切断すると共に表示灯１２を消灯して着信処理を終了する。
【００４５】
図６を参照し、携帯電話機１の特殊操作モード処理について説明する。特殊操作モード処理は、図１示す特殊操作手段２６が行なうものであり、図６に示すように、無線送受信部８による無線通信が停止された状態においてだけ、チェックボタン５がオン信号を制御部１４に出力している最中に電源スイッチ３が電源オンになると、ＣＰＵ２１が登録モードに設定され、トークボタン４がオン信号を制御部１４に出力している最中に電源スイッチ３が電源オンになると、ＣＰＵ２１が設定モードに設定されるようになっている。
【００４６】
具体的には、図６のステップ４０１では、無線送受信部８による無線通信が停止された状態かを判断する。無線送受信部８による無線通信が停止されていなければ、ステップ４０１での判断がＮＯになり、ステップ４０１に戻る。無線送受信部８による無線通信が停止されていれば、ステップ４０１での判断がＹＥＳになり、ステップ４０２に進む。
【００４７】
ステップ４０２では、チェックボタン５と電源スイッチ３とが同時期に操作されたかを判断する。チェックボタン５がオン信号を制御部１４に出力している状態において、電源スイッチ３が電源オン信号を制御部１４に出力すると、ステップ４０２での判断がＹＥＳになり、ステップ４０３に進む。ステップ４０３では、ＣＰＵ２１を登録モードに設定し、特殊操作モード処理を終了する。チェックボタン５からのオン信号と電源スイッチ３からの電源オン信号とが制御部１４に同時期に入力しなければ、ステップ４０２での判断がＮＯになり、ステップ４０４に進む。
【００４８】
ステップ４０４では、トークボタン４と電源スイッチ３とが同時期に操作されたかを判断する。トークボタン４がオン信号を制御部１４に出力している状態において、電源スイッチ３が電源オン信号を制御部１４に出力すると、ステップ４０４での判断がＹＥＳになり、ステップ４０５に進む。ステップ４０５では、ＣＰＵ２１が設定モードに設定され、特殊操作モード処理を終了する。トークボタン４からのオン信号と電源スイッチ３からの電源オン信号とが制御部１４に同時期に入力しなければ、ステップ４０４での判断がＮＯになり、特殊操作モード処理を終了する。
【００４９】
図７及び図８を参照し、携帯電話機１の登録モード処理について説明する。登録モード処理は、図１示す登録モード手段２７が行なうものであり、図７及び図８に示すように、携帯電話機１がリモートロックされていないつまりリモートロックの解除された状態において、トークボタン４が操作された回数により、ＣＰＵ２１が着信動作による発信先電話番号登録モード、手動による発信先電話番号登録及び削除モード、通知許可情報登録及び削除モード、登録初期化モード、ソフトウェアアップデートモードに設定されるようになっている。
【００５０】
具体的には、図７のステップ５０１では、リモートロックが解除されているかを判断する。リモートロックが解除されていなければ、ステップ５０１の判断がＮＯになり、ステップ５０６に進み、リモートロックが解除されていれば、ステップ５０１の判断がＹＥＳになり、ステップ５０２に進む。
【００５１】
ステップ５０２では、登録モード手段２７による音声ガイダンスの処理が行われる。この音声ガイダンスの処理では、登録モード手段２７が音声ガイダンスデータベース３２から登録モード処理に対応する音声案内情報を抽出し、その抽出した音声案内情報により電気信号をスピーカ１１に供給する。これにより、スピーカ１１が上記音声案内情報による音声を、例えば「登録モードです。相手からの着信による発信先の登録はトークボタンを１回、手動による発信先の登録はトークボタンを２回、通知許可情報の登録はトークボタンを３回、設定値をお買い上げ時の状態に戻すにはトークボタンを４回、ソフトウェアの更新はトークボタンを５回押しチェックボタンを操作して下さい。終了する場合は電源スイッチをお切り下さい。」と放出し、ステップ５０３に進む。
【００５２】
ステップ５０３では、トークボタン４の操作回数を判断する。トークボタン４がオン信号を制御部１４に２回以上出力すれば、ステップ５０３での判断がＮＯになり、ステップ５０７に進み、トークボタン４がオン信号を制御部１４に１回だけ出力すれば、ステップ５０３での判断がＹＥＳになり、ステップ５０４に進む。ステップ５０４では、チェックボタン５の状態を判断する。チェックボタン５がオン信号を制御部１４に出力しなければ、ステップ５０４での判断がＮＯになり、ステップ５０４に戻る。チェックボタン５がオン信号を制御部１４に出力すると、ステップ５０４での判断がＹＥＳになり、ステップ５０５に進む。ステップ５０５では、ＣＰＵ２１が着信動作による発信先電話番号登録モードに設定され、登録モード処理を終了する。
【００５３】
ステップ５０６では、登録モード手段２７による音声ガイダンスの処理が行われる。この音声ガイダンスの処理では、登録モード手段２７が音声ガイダンスデータベース３２からリモートロックに対応する音声案内情報を抽出し、その抽出した音声案内情報により電気信号をスピーカ１１に供給する。これにより、スピーカ１１が上記音声案内情報による音声を、例えば「ロック中です。」と放出し、登録モード処理を終了する。
【００５４】
ステップ５０７では、トークボタン４の操作回数を判断する。トークボタン４がオン信号を制御部１４に３回以上出力すれば、ステップ５０７での判断がＮＯになり、図８のステップ５１０に進む。トークボタン４がオン信号を制御部１４に２回だけ出力すれば、図７におけるステップ５０７での判断がＹＥＳになり、ステップ５０８に進む。ステップ５０８では、チェックボタン５の状態を判断する。チェックボタン５がオン信号を制御部１４に出力しなければ、ステップ５０８での判断がＮＯになり、ステップ５０８に戻る。チェックボタン５がオン信号を制御部１４に出力すると、ステップ５０８での判断がＹＥＳになり、ステップ５０９に進む。ステップ５０９では、ＣＰＵ２１が手動による発信先電話番号登録及び削除モードに設定され、登録モード処理を終了する。
【００５５】
図８において、ステップ５１０では、トークボタン４の操作回数を判断する。トークボタン４がオン信号を制御部１４に４回以上出力すれば、ステップ５１０での判断がＮＯになり、ステップ５１３に進み、トークボタン４がオン信号を制御部１４に３回だけ出力すれば、ステップ５１０での判断がＹＥＳになり、ステップ５１１に進む。ステップ５１１では、チェックボタン５の状態を判断する。チェックボタン５がオン信号を制御部１４に出力しなければ、ステップ５１１での判断がＮＯになり、ステップ５１１に戻る。チェックボタン５がオン信号を制御部１４に出力すると、ステップ５１１での判断がＹＥＳになり、ステップ５１２に進む。ステップ５１２では、ＣＰＵ２１が通知許可情報登録及び削除モードに設定され、登録モード処理を終了する。通知許可情報登録及び削除モード処理は、図示は省略したが、制御部１４が位置情報通知の通知許可情報の登録と削除とを行なう処理である。
【００５６】
ステップ５１３では、トークボタン４の操作回数を判断する。トークボタン４がオン信号を制御部１４に５回以上出力すれば、ステップ５１３での判断がＮＯになり、ステップ５１６に進み、トークボタン４がオン信号を制御部１４に４回だけ出力すれば、ステップ５１３での判断がＹＥＳになり、ステップ５１４に進む。ステップ５１４では、チェックボタン５の状態を判断する。チェックボタン５がオン信号を制御部１４に出力しなければ、ステップ５１４での判断がＮＯになり、ステップ５１４に戻る。チェックボタン５がオン信号を制御部１４に出力すると、ステップ５１４での判断がＹＥＳになり、ステップ５１５に進む。ステップ５１５では、ＣＰＵ２１が登録初期化モードに設定され、登録モード処理を終了する。
【００５７】
ステップ５１６では、トークボタン４の操作回数を判断する。トークボタン４がオン信号を制御部１４に６回以上出力すれば、ステップ５１６での判断がＮＯになり、ステップ５１９に進み、トークボタン４オン信号を制御部１４に５回だけ出力すれば、ステップ５１６での判断がＹＥＳになり、ステップ５１７に進む。ステップ５１７では、チェックボタン５の状態を判断する。チェックボタン５がオン信号を制御部１４に出力しなければ、ステップ５１７での判断がＮＯになり、ステップ５１７に戻る。チェックボタン５がオン信号を制御部１４に出力すると、ステップ５１７での判断がＹＥＳになり、ステップ５１８に進む。ステップ５１８では、ＣＰＵ２１がソフトウェアアップデートモードに設定され、登録モード処理を終了する。
【００５８】
ステップ５１９では、トークボタン４の操作回数を判断する。トークボタン４がオン信号を制御部１４に７回以上出力すれば、ステップ５１９での判断がＮＯになり、ステップ５１９に戻り、トークボタン４がオン信号を制御部１４に６回だけ出力すれば、ステップ５１９での判断がＹＥＳになり、ステップ５２０に進む。ステップ５２０では、登録モード手段２７による音声ガイダンスの処理が行われる。この音声ガイダンスの処理では、登録モード手段２７が音声ガイダンスデータベース３２から入力操作間違いに対応する音声案内情報を抽出し、その抽出した音声案内情報により電気信号をスピーカ１１に供給する。これにより、スピーカ１１が上記音声案内情報による音声を、例えば「入力誤りです。はじめに戻ります。」と放出し、図７のステップ５０２に戻る。
【００５９】
尚、図７及び図８に示すステップ５０３、ステップ５０７、ステップ５１０、ステップ５１３、ステップ５１６、ステップ５１９のそれぞれでは、制御部１４に操作回数を数える時間として設定された時間内にトークボタン４から制御部１４に入力されたオン信号の入力回数を、トークボタン４の操作回数として扱っており、その設定された時間が経過し時点で次のステップへと進む。
【００６０】
図９及び図１０を参照し、携帯電話機１の着信動作による発信先電話番号登録モード処理について説明する。着信動作による発信先電話番号登録モード処理は、図１示す登録モード手段２７が行なうものであり、図６に示すように携帯電話機１が無線停止状態であり、図７に示すように、携帯電話機１がリモートロックされていないつまりリモートロックの解除された状態において、トークボタン４が１回操作された後にチェックボタン５が操作された場合に、ＣＰＵ２１が着信動作による発信先電話番号登録モードになるようになっている。
【００６１】
具体的には、ＣＰＵ２１が着信動作による発信先電話番号登録モードにされて、図９の処理が始まると、ステップ６０１において、登録モード手段２７による音声ガイダンスの処理が行われる。この音声ガイダンスの処理では、登録モード手段２７が音声ガイダンスデータベース３２から着信動作による発信先電話番号登録モードに対応する音声案内情報を抽出し、その抽出した音声案内情報により電気信号をスピーカ１１に供給する。これにより、スピーカ１１が上記音声案内情報による音声を、例えば「発信先を登録します。発信先の電話機からこの電話機に電話をおかけ下さい。」と放出し、ステップ６０２に進む。
【００６２】
ステップ６０２では、着信を待ち受ける処理を行い、ステップ６０３に進む。ステップ６０３では、着信動作による発信先電話番号登録モードの経過時間に対するカウントを開始し、ステップ６０４に進む。ステップ６０４では、表示灯１２を緑色に点滅させて携帯電話機１への着信を表示し、ステップ６０５に進む。ステップ６０５では、着信かを判断する。発信先電話番号の登録対象としての発信先の電話機からの着信がアンテナ９及び無線送受信部８を経由して制御部１４に入力しなければ、ステップ６０５での判断がＮＯになり、ステップ６１３に進む。発信先電話番号の登録対象としての発信先の電話機からの着信がアンテナ９及び無線送受信部８を経由して制御部１４に入力すると、ステップ６０５での判断がＹＥＳになり、ステップ６０６に進む。
【００６３】
ステップ６０６では、ステップ６０３で着信動作による発信先電話番号登録モードの経過時間に対するカウントを開始したカウンタのカウント動作を停止すると共に当該カウンタをリセットしてゼロに戻し、ステップ６０７に進む。ステップ６０７では、登録モード手段２７による音声ガイダンスの処理が行われる。この音声ガイダンスの処理では、登録モード手段２７が音声ガイダンスデータベース３２から発信先の電話機たる相手に対応する音声案内情報としての例えば「相手の電話機に電話番号が登録されました。」を抽出し、その抽出した音声案内情報により電気信号を無線送受信部８とアンテナ９と図外の無線基地局及び図外の通信網を経由して相手の電話機としての発信先の電話機に送信し、図１０のステップ６０８に進む。
【００６４】
図９のステップ６１３では、ステップ６０３で開始された着信動作による発信先電話番号登録モードの経過時間に対するカウント値が制御部１４に設定された着信動作による発信先電話番号登録モード設定時間に到達したかを判断する。着信動作による発信先電話番号登録モードの経過時間に対するカウント値が着信動作による発信先電話番号登録モード設定時間に到達していなければ、ステップ６１３での判断がＮＯになり、ステップ６１３に戻る。着信動作による発信先電話番号登録モードの経過時間に対するカウント値が着信動作による発信先電話番号登録モード設定時間に到達すると、ステップ６１３での判断がＹＥＳになり、ステップ６１４に進む。ステップ６１４では、ステップ６０３で開始された着信動作による発信先電話番号登録モードの経過時間に対するカウントを開始したカウンタのカウント動作を停止すると共に当該カウンタをリセットしてゼロに戻し、ステップ６１５に進む。ステップ６１５では、表示灯１２を赤色に点灯させて着信動作による発信先電話番号登録モード設定時間中に発信先の電話機からの着信がないことを表示し、図１０のステップ６１６に進む。
【００６５】
図１０において、ステップ６０８では、携帯電話機１と発信先の電話機との通信経路を切断すると共に表示灯１２を緑色に点灯して上記通信経路の切断を表示し、ステップ６０９に進む。ステップ６０９では、図９のステップ６０５での判断がＹＥＳになる原因の発信先の電話機から着信した電話番号としての着信番号を発信先電話番号として発信先電話番号データベース３１に記録し、ステップ６１０に進む。ステップ６１０では、登録モード手段２７による音声ガイダンスの処理が行われる。この音声ガイダンスの処理では、登録モード手段２７が音声ガイダンスデータベース３２に発信先の電話機の電話番号の発信先としての登録に対応する音声案内情報を抽出し、その抽出した音声案内情報により電気信号をスピーカ１１に供給する。これにより、スピーカ１１が上記音声案内情報による音声を、例えば「登録が完了しました。登録番号は「×××‐××××‐××××」です。電源スイッチをお切り下さい。」と放出し、ステップ６１１に進む。
【００６６】
ステップ６１１では、電源スイッチ３の状態を判断する。電源スイッチ３が電源オン信号を制御部１４に出力していれば、電源スイッチ３が電源オンに操作された状態であるので、ステップ６１１での判断がＮＯになり、ステップ６１１に戻る。電源スイッチ３が電源オン信号を制御部１４に出力していなければ、電源スイッチ３が電源オフに操作された状態であるので、ステップ６１１での判断がＹＥＳになり、ステップ６１２に進む。ステップ６１２では、表示灯１２を消灯して着信動作による発信先電話番号登録モード処理を終了する。又、ステップ６１６では、登録モード手段２７による音声ガイダンスの処理が行われる。この音声ガイダンスの処理では、登録モード手段２７が音声ガイダンスデータベース３２に発信先の電話機の電話番号の発信先として登録できなかったことに対応する音声案内情報を抽出し、その抽出した音声案内情報により電気信号をスピーカ１１に供給する。これにより、スピーカ１１が上記音声案内情報による音声を、例えば「登録できませんでした。電源スイッチを切り、もう一度設定して下さい。」と放出し、ステップ６１１及びステップ６１２を経由して着信動作による発信先電話番号登録モード処理を終了する。
【００６７】
図１１及び図１２を参照し、携帯電話機１の手動による発信先電話番号登録及び削除モード処理について説明する。手動による発信先電話番号登録及び削除モード処理は、図１示す登録モード手段２７が行なうものであり、図６に示すように携帯電話機１が無線停止状態であり、図７に示すように、携帯電話機１がリモートロックされていないつまりリモートロックの解除された状態において、トークボタン４が２回操作された後に、チェックボタン５が１回操作されることにより、ＣＰＵ２１が手動による発信先電話番号登録及び削除モードになるようになっている。
【００６８】
具体的には、ＣＰＵ２１が手動による発信先電話番号登録及び削除モードにされて、図１１の処理が始まると、ステップ７０１において、登録モード手段２７による音声ガイダンスの処理が行われる。この音声ガイダンスの処理では、登録モード手段２７が音声ガイダンスデータベース３２から手動による発信先電話番号登録及び削除モードに対応する音声案内情報を抽出し、その抽出した音声案内情報により電気信号をスピーカ１１に供給する。これにより、スピーカ１１が上記音声案内情報による音声を、例えば「発信先番号の手動登録、又は削除を行います。番号を登録する場合はトークボタンを操作して下さい。登録されている番号を削除する場合はチェックボタンを操作して下さい。」と放出し、ステップ７０２に進む。
【００６９】
ステップ７０２では、トークボタン４の状態を判断する。トークボタン４がオン信号を制御部１４に出力しなければ、ステップ７０２での判断がＮＯになり、図１２のステップ７１７に進む。トークボタン４がオン信号を制御部１４に出力すると、図１１のステップ７０２での判断がＹＥＳになり、ステップ７０３に進む。ステップ７０３では、登録モード手段２７による音声ガイダンスの処理が行われる。この音声ガイダンスの処理では、登録モード手段２７が音声ガイダンスデータベース３２から手動による発信先電話番号登録及び削除モードにおけるトークボタン４の操作されるたびに対応する音声案内情報を抽出し、その抽出した音声案内情報により電気信号をスピーカ１１に供給する。これにより、スピーカ１１が上記音声案内情報による音声を、例えば「トークボタンを操作して番号を選択して下さい。」と放出し、ステップ７０４に進む。
【００７０】
ステップ７０４では、トークボタン４の状態を判断する。トークボタン４がオン信号を制御部１４に出力しなければ、ステップ７０４での判断がＮＯになり、ステップ７０３に戻る。トークボタン４がオン信号を制御部１４に出力すると、ステップ７０４での判断がＹＥＳになり、ステップ７０５に進む。ステップ７０５では、登録モード手段２７による音声ガイダンスの処理が行われる。この音声ガイダンスの処理では、トークボタン４が操作されるたびに「１２３４５６７８９０＊＃ポーズ」を順に巡回すると共に巡回する「１２３４５６７８９０＊＃ポーズ」に対応する音声ガイダンスを音声ガイダンデータベースから選択してスピーカ１１から放音する。例えば、音声ガイダンスデータベース３２からトークボタン４の操作で選択された番号が「１」である場合には、スピーカ１１が上記音声案内情報による音声を、例えば「１」と放出し、ステップ７０６に進む。
【００７１】
ステップ７０６では、チェックボタン５の状態を判断する。チェックボタン５がオン信号を制御部１４に出力しなければ、ステップ７０６での判断がＮＯになり、ステップ７０６に戻る。チェックボタン５がオン信号を制御部１４に出力すると、ステップ７０６での判断がＹＥＳになり、ステップ７０７に進む。ステップ７０７では、登録モード手段２７による音声ガイダンスの処理が行われる。この音声ガイダンスの処理では、登録モード手段２７が音声ガイダンスデータベース３２から手動による発信先電話番号登録及び削除モードのトークボタン４又はチェックボタン５の操作に対応する音声案内情報を抽出し、その抽出した音声案内情報により電気信号をスピーカ１１に供給する。これにより、スピーカ１１が上記音声案内情報による音声を、例えば「続けて入力する場合はトークボタンを、終了する場合はチェックボタンを操作して下さい。」と放出し、ステップ７０８に進む。
【００７２】
ステップ７０８では、トークボタン４の状態を判断する。トークボタン４オン信号を制御部１４に出力しなければ、ステップ７０８での判断がＮＯになり、ステップ７０８に戻る。トークボタン４がオン信号を制御部１４に出力すると、ステップ７０８での判断がＹＥＳになり、図１２のステップ７０９に進む。
【００７３】
図１２において、ステップ７０９では、桁数を判断する。桁数が電話番号としての入力可能最大桁数に到達していなければ、ステップ７０９での判断がＮＯになり、図１１のステップ７０５に戻る。桁数が電話番号としての入力可能最大桁数に到達していれば、図１２のステップ７０９での判断がＹＥＳになり、ステップ７１０に進む。ステップ７１０では、登録モード手段２７による音声ガイダンスの処理が行われる。この音声ガイダンスの処理では、登録モード手段２７が音声ガイダンスデータベース３２から入力可能最大桁数への到達に対応する音声案内情報を抽出し、その抽出した音声案内情報により電気信号をスピーカ１１に供給する。これにより、スピーカ１１が上記音声案内情報による音声を、例えば「入力可能最大桁数です。チェックボタンを操作し終了して下さい。」と放出し、ステップ７１１に進む。
【００７４】
ステップ７１１では、トークボタン４の状態を判断する。トークボタン４がオン信号を制御部１４に出力すると、ステップ７１１での判断がＹＥＳになり、ステップ７１０に戻る。トークボタン４がオン信号を制御部１４に出力しなければ、ステップ７１１での判断がＮＯになり、ステップ７１２に進む。ステップ７１２では、チェックボタン５の状態を判断する。チェックボタン５がオン信号を制御部１４に出力しなければ、ステップ７１２での判断がＮＯになり、ステップ７１２に戻る。チェックボタン５がオン信号を制御部１４に出力すると、ステップ７１２での判断がＹＥＳになり、ステップ７１３に進む。
【００７５】
ステップ７１３では、内容の良否を判断する。入力された電話番号の内容がＯＫでなければ、ステップ７１３の判断がＮＯになり、ステップ７１６に進み、入力された電話番号の内容がＯＫであれば、ステップ７１３の判断がＹＥＳになり、ステップ７１４に進む。ステップ７１４では、登録モード手段２７による音声ガイダンスの処理が行われる。この音声ガイダンスの処理では、登録モード手段２７が音声ガイダンスデータベース３２から内容のＯＫに対応する音声案内情報を抽出し、その抽出した音声案内情報により電気信号をスピーカ１１に供給する。これにより、スピーカ１１が上記音声案内情報による音声を、例えば「番号が登録されました。登録した番号は「×××‐××××‐××××」です。電源スイッチをお切り下さい。」と放出し、ステップ７１５に進む。
【００７６】
ステップ７１５では、電源スイッチ３の状態を判断する。電源スイッチ３が電源オン信号を制御部１４に出力していれば、電源スイッチ３が電源オンに操作された状態であるので、ステップ７１５での判断がＮＯになり、ステップ７１５に戻る。電源スイッチ３が電源オン信号を制御部１４に出力していなければ、電源スイッチ３が電源オフに操作された状態であるので、ステップ７１５での判断がＹＥＳになり、手動による発信先電話番号登録及び削除モード処理を終了する。
【００７７】
ステップ７１６では、登録モード手段２７による音声ガイダンスの処理が行われる。この音声ガイダンスの処理では、登録モード手段２７が音声ガイダンスデータベース３２から内容の不正に対応する音声案内情報を抽出し、その抽出した音声案内情報により電気信号をスピーカ１１に供給する。これにより、スピーカ１１が上記音声案内情報による音声を、例えば「入力内容が不正です。最初から登録を行って下さい。電源スイッチをお切り下さい。」と放出し、ステップ７１５を経由して手動による発信先電話番号登録及び削除モード処理を終了する。
【００７８】
ステップ７１７では、チェックボタン５の状態かを判断する。チェックボタン５がオン信号を制御部１４に出力しなければ、ステップ７１７での判断がＮＯになり、ステップ７１７に戻る。チェックボタン５がオン信号を制御部１４に出力すると、ステップ７１７での判断がＹＥＳになり、ステップ７１８に進む。ステップ７１８では、登録モード手段２７による音声ガイダンスの処理が行われる。この音声ガイダンスの処理では、登録モード手段２７が音声ガイダンスデータベース３２からの削除の意思確認に対応する音声案内情報を抽出し、その抽出した音声案内情報により電気信号をスピーカ１１に供給する。これにより、スピーカ１１が上記音声案内情報による音声を、例えば「登録されている情報を削除します。よければチェックボタンを操作して下さい。削除しない場合は電源スイッチをお切り下さい。」と放出し、ステップ７１９に進む。
【００７９】
ステップ７１９では、チェックボタン５の状態を判断する。チェックボタン５がオン信号を制御部１４に出力しなければ、ステップ７１９での判断がＮＯになり、ステップ７１９に戻る。チェックボタン５がオン信号を制御部１４に出力すると、ステップ７１９での判断がＹＥＳになり、ステップ７２０に進む。ステップ７２０では、登録モード手段２７による音声ガイダンスの処理が行われる。この音声ガイダンスの処理では、登録モード手段２７が音声ガイダンスデータベース３２からの削除に対応する音声案内情報を抽出し、その抽出した音声案内情報により電気信号をスピーカ１１に供給する。これにより、スピーカ１１が上記音声案内情報による音声を、例えば「登録されている情報を削除しました。電源スイッチをお切り下さい。」と放出し、ステップ７１５を経由して手動による発信先電話番号登録及び削除モード処理を終了する。
【００８０】
図１３を参照し、携帯電話機１の登録状態の初期化モード処理について説明する。登録状態の初期化モード処理は、図１示す登録モード手段２７が行なうものであり、図６に示すように携帯電話機１が無線停止状態であり、図７及び図８に示すように、携帯電話機１がリモートロックされていないつまりリモートロックの解除された状態において、トークボタン４が４回操作された後に、チェックボタン５が１回操作されることにより、ＣＰＵ２１が登録状態の初期化モードになるようになっている。
【００８１】
具体的には、ＣＰＵ２１が登録状態の初期化モードにされて、図１３の処理が始まると、ステップ８０１において、登録モード手段２７による音声ガイダンスの処理が行われる。この音声ガイダンスの処理では、登録モード手段２７が音声ガイダンスデータベース３２から登録状態の初期化モードに対応する音声案内情報を抽出し、その抽出した音声案内情報により電気信号をスピーカ１１に供給する。これにより、スピーカ１１が上記音声案内情報による音声を、例えば「設定値をお買い上げ時の状態に戻します。良ければチェックボタンを操作して下さい。設定値を戻さない場合は電源スイッチをお切り下さい。」と放出し、ステップ８０２に進む。
【００８２】
ステップ８０２では、チェックボタン５の状態を判断する。チェックボタン５がオン信号を制御部１４に出力しなければ、ステップ８０２での判断がＮＯになり、ステップ８０５に進み、チェックボタン５がオン信号を制御部１４に出力すると、ステップ８０２での判断がＹＥＳになり、ステップ８０３に進む。ステップ８０３では、図１の記憶部１５に記録されている設定値が携帯電話機１の購入された時の状態に戻される。この初期化により、例えば、発信先電話番号が発信先電話番号データベース３１から消去されて未設定の状態になり、音声ガイダンスに対する設定が電源オンによる起動時の音声ガイダンスの再生有りに設定され、ステップ８０４に進む。
【００８３】
ステップ８０４では、登録モード手段２７による音声ガイダンスの処理が行われる。この音声ガイダンスの処理では、登録モード手段２７が音声ガイダンスデータベース３２からの初期化の意思確認に対応する音声案内情報を抽出し、その抽出した音声案内情報により電気信号をスピーカ１１に供給する。これにより、スピーカ１１が上記音声案内情報による音声を、例えば「設定値をお買い上げ時の状態に戻しました。電源スイッチをお切り下さい。」と放出し、ステップ８０５に進む。ステップ８０５では、電源スイッチ３の状態を判断する。電源スイッチ３が電源オン信号を制御部１４に出力していれば、電源スイッチ３が電源オンに操作された状態であるので、ステップ８０５での判断がＮＯになり、ステップ８０５に戻る。電源スイッチ３が電源オン信号を制御部１４に出力していなければ、電源スイッチ３が電源オフに操作された状態であるので、ステップ８０５での判断がＹＥＳになり、手動による発信先電話番号登録及び削除モード処理を終了する。
【００８４】
図１４及び図１５を参照し、携帯電話機１のソフトウェアアップデートモード処理について説明する。ソフトウェアアップデートモード処理は、図１示す登録モード手段２７が行なうものであり、図６に示すように携帯電話機１が無線停止状態であり、図７及び図８に示すように、携帯電話機１がリモートロックされていないつまりリモートロックの解除された状態において、トークボタン４が５回操作された後に、チェックボタン５が１回操作されることにより、ＣＰＵ２１がソフトウェアアップデートモードになるようになっている。ＣＰＵ２１がソフトウェアアップデートモードになった後、図１４及び図１５に示すように、トークボタン４が１回操作された後に、ソフトウェアアップデートに対して電池２の残量が十分である場合にはＣＰＵ２１がソフトウェアアップデートモードになる一方、ソフトウェアアップデートに対して電池２の残量が不足である場合にはＣＰＵ２１がソフトウェアアップデートモードにならないようになっている。
【００８５】
具体的には、ＣＰＵ２１がソフトウェアアップデートモードに設定されて、図１４の処理が始まると、ステップ９０１において、登録モード手段２７による音声ガイダンスの処理が行われる。この音声ガイダンスの処理では、登録モード手段２７が音声ガイダンスデータベース３２からアップデートするソフトウェアのバージョンに対応する音声案内情報を抽出し、その抽出した音声案内情報により電気信号をスピーカ１１に供給する。これにより、スピーカ１１が上記音声案内情報による音声を、例えば「現在のソフトウェアのバージョンは××．××です。更新を行う場合はトークボタンを操作して下さい。」と放出し、ステップ９０２に進む。
【００８６】
ステップ９０２では、トークボタン４の状態を判断する。トークボタン４がオン信号を制御部１４に出力しなければ、ステップ９０２での判断がＮＯになり、ステップ９０２に戻り、トークボタン４がオン信号を制御部１４に出力すると、ステップ９０２での判断がＹＥＳになり、ステップ９０３に進む。ステップ９０３では、ソフトウェアアップデートに対して電池２の残量が十分であるかを判断する。電池２の残量が不足している場合は、図１５のステップ９１９に進み、電池２の残量が十分である場合は、図１４のステップ９０４に進む。
【００８７】
ステップ９０４では、登録モード手段２７による音声ガイダンスの処理が行われる。この音声ガイダンスの処理では、登録モード手段２７が音声ガイダンスデータベース３２からソフトウェアのバージョンの比較に対応する音声案内情報を抽出し、その抽出した音声案内情報により電気信号をスピーカ１１に供給する。これにより、スピーカ１１が上記音声案内情報による音声を、例えば「ソフトウェアのバージョンを確認しています。暫くお待ち下さい。」と放出し、ステップ９０５に進む。
【００８８】
ステップ９０５では、ソフトウェアのバージョンの状態を判断する。ソフトウェアのバージョンの状態としては、端末と最新のバージョンとが同じ、端末より最新のバージョンがある、接続失敗の３つの状態のうちの１つの状態になっている。端末と最新のバージョンとが同じは、携帯電話機１のＲＯＭ２２の書き換え可能な領域に記録されているソフトウェアのバージョンとアップデートをしようとするソフトウェアのバージョンとが同じであり、アップデートが不要な状態である。端末より最新のバージョンがあるは、携帯電話機１のＲＯＭ２２の書き換え可能な領域に記録されているソフトウェアのバージョンよりもアップデートをしようとするソフトウェアのバージョンが新しいものであり、アップデートが必要な状態である。接続失敗は、携帯電話機１が通信網に接続できない状態である。
【００８９】
ステップ９０５での判断において、端末と最新のバージョンとが同じと判断された場合はステップ９０６に進み、端末より最新のバージョンがあると判断された場合はステップ９０７に進み、接続失敗と判断された場合はステップ９０８に進む。ステップ９０６では、登録モード手段２７による音声ガイダンスの処理が行われる。この音声ガイダンスの処理では、登録モード手段２７が音声ガイダンスデータベース３２から端末と最新のバージョンとが同じに対応する音声案内情報を抽出し、その抽出した音声案内情報により電気信号をスピーカ１１に供給する。これにより、スピーカ１１が上記音声案内情報による音声を、例えば「ソフトウェアは最新です。更新の必要はありません。電源スイッチをお切り下さい。」と放出し、図１５のステップ９０９に進む。
【００９０】
図１４のステップ９０７では、登録モード手段２７による音声ガイダンスの処理が行われる。この音声ガイダンスの処理では、登録モード手段２７が音声ガイダンスデータベース３２から端末より最新のバージョンがあるに対応する音声案内情報を抽出し、その抽出した音声案内情報により電気信号をスピーカ１１に供給する。これにより、スピーカ１１が上記音声案内情報による音声を、例えば「最新のソフトウェアを確認しました。ソフトウェアの更新を行います。電源スイッチを切らずに完了まで暫くお待ち下さい。」と放出し、図１５のステップ９１２に進む。
【００９１】
図１４のステップ９０８では、登録モード手段２７による音声ガイダンスの処理が行われる。この音声ガイダンスの処理では、登録モード手段２７が音声ガイダンスデータベース３２から接続失敗に対応する音声案内情報を抽出し、その抽出した音声案内情報により電気信号をスピーカ１１に供給する。これにより、スピーカ１１が上記音声案内情報による音声を、例えば「回線に接続できませんでした。電波の良い場所でもう一度実行して下さい。電源スイッチをお切り下さい。」と放出し、図１５のステップ９１８に進む。
【００９２】
図１５において、ステップ９０９では、表示灯１２を緑色に点灯してアップデートの不要を表示し、ステップ９１０に進む。ステップ９１０では、電源スイッチ３の状態を判断する。電源スイッチ３が電源オン信号を制御部１４に出力していれば、電源スイッチ３が電源オンに操作された状態であるので、ステップ９１０での判断がＮＯになり、ステップ９１０に戻る。電源スイッチ３が電源オン信号を制御部１４に出力していなければ、電源スイッチ３が電源オフに操作された状態であるので、ステップ９１０での判断がＹＥＳになり、ステップ９１１に進む。ステップ９１１では、表示灯１２を消灯してソフトウェアアップデートモード処理を終了する。
【００９３】
ステップ９１２では、表示灯１２を緑色に点滅してアップデートの必要を表示し、ステップ９１３に進む。ステップ９１３では、アップデートが成功したかを判断する。アップデートが失敗した場合はステップ９１６に進み、アップデートが成功した場合はステップ９１４に進む。
【００９４】
ステップ９１４では、登録モード手段２７による音声ガイダンスの処理が行われる。この音声ガイダンスの処理では、登録モード手段２７が音声ガイダンスデータベース３２からアップデートの成功に対応する音声案内情報を抽出し、その抽出した音声案内情報により電気信号をスピーカ１１に供給する。これにより、スピーカ１１が上記音声案内情報による音声を、例えば「ソフトウェアの更新が成功しました。電源スイッチをお切り下さい。」と放出し、ステップ９１５に進む。ステップ９１５では、表示灯１２を緑色に点灯してアップデートの成功を表示し、ステップ９１０及びステップ９１１を経由して、ソフトウェアアップデートモード処理を終了する。
【００９５】
ステップ９１６では、登録モード手段２７による音声ガイダンスの処理が行われる。この音声ガイダンスの処理では、登録モード手段２７が音声ガイダンスデータベース３２からアップデートの失敗に対応する音声案内情報を抽出し、その抽出した音声案内情報により電気信号をスピーカ１１に供給する。これにより、スピーカ１１が上記音声案内情報による音声を、例えば「ソフトウェアの更新に失敗しました。電源スイッチをお切り下さい。」と放出し、ステップ９１７に進む。ステップ９１７では、表示灯１２を赤色に点灯してアップデートの失敗を表示し、ステップ９１０及びステップ９１１を経由して、ソフトウェアアップデートモード処理を終了する。
【００９６】
ステップ９１８では、表示灯１２を赤色に点灯して接続失敗を表示し、ステップ９１０及びステップ９１１を経由して、ソフトウェアアップデートモード処理を終了する。又、ステップ９１９では、登録モード手段２７による音声ガイダンスの処理が行われる。この音声ガイダンスの処理では、登録モード手段２７が音声ガイダンスデータベース３２から電池２の残量不足に対応する音声案内情報を抽出し、その抽出した音声案内情報により電気信号をスピーカ１１に供給する。これにより、スピーカ１１が上記音声案内情報による音声を、例えば「電池の残りが十分ではありません。新しい電池に交換してもう一度実行して下さい。電源スイッチをお切り下さい。」と放出し、ステップ９１０及びステップ９１１を経由して、ソフトウェアアップデートモード処理を終了する。
【００９７】
図１６を参照し、着信番号限定動作の設定変更モード処理について説明する。着信番号限定動作の設定変更モード処理は、図１の設定モード手段２８が行なう処理であり、図６のステップ４０５示すようにＣＰＵ２１が設定モードに設定された場合において、図示は省略したが、携帯電話機１がリモートロックされていないつまりリモートロックの解除された状態において、トークボタン４が１回操作された後に、チェックボタン５が１回操作されることにより、ＣＰＵ２１が着信番号限定動作の設定変更モードになるようになっている。
【００９８】
具体的には、ＣＰＵ２１が着信番号限定動作の設定変更モードに設定されて、図１６の処理が始まると、ステップ１００１において、発信先電話番号が発信先電話番号データベース３１に記録されているかを判断する。発信先電話番号が発信先電話番号データベース３１に記録されていなければ、ステップ１００１での判断がＮＯになり、ステップ１０１０に進み、発信先電話番号が発信先電話番号データベース３１に記録されていれば、ステップ１００１での判断がＹＥＳになり、ステップ１００２に進む。ステップ１００２では、着信限定が設定されているかを判断する。着信限定が設定されていなければ、ステップ１００２での判断がＮＯになり、ステップ１００７に進み、着信限定が設定されていれば、ステップ１００２での判断がＹＥＳになり、ステップ１００３に進む。
【００９９】
ステップ１００３では、着信限定設定を無効にし、ステップ１００４に進む。ステップ１００４では、設定モード手段２８による音声ガイダンスの処理が行われる。この音声ガイダンスの処理では、設定モード手段２８が音声ガイダンスデータベース３２から着信限定設定の無効に対応する音声案内情報を抽出し、その抽出した音声案内情報により電気信号をスピーカ１１に供給する。これにより、スピーカ１１が上記音声案内情報による音声を、例えば「着信限定を解除しました。続けて設定の変更を行う場合はトークボタンを操作して下さい。終了する場合は電源スイッチをお切り下さい。」と放出し、ステップ１００５に進む。ステップ１００５では、トークボタン４の状態を判断する。トークボタン４がオン信号を制御部１４に出力しなければ、ステップ１００５での判断がＮＯになり、ステップ１０１１に進み、トークボタン４がオン信号を制御部１４に出力すると、ステップ１００５での判断がＹＥＳになり、ステップ１００６に進む。ステップ１００６では、図６のステップ４０５の設定モードに移行する。
【０１００】
ステップ１００７では、着信限定設定を有効にし、ステップ１００８に進む。ステップ１００８では、設定モード手段２８による音声ガイダンスの処理が行われる。この音声ガイダンスの処理では、設定モード手段２８が音声ガイダンスデータベース３２から着信限定設定の有効に対応する音声案内情報を抽出し、その抽出した音声案内情報により電気信号をスピーカ１１に供給する。これにより、スピーカ１１が上記音声案内情報による音声を、例えば「着信限定に設定しました。続けて設定の変更を行う場合はトークボタンを操作して下さい。終了する場合は電源スイッチをお切り下さい。」と放出し、ステップ１００９に進む。ステップ１００９では、トークボタン４の状態を判断する。トークボタン４がオン信号を制御部１４に出力しなければ、ステップ１００９での判断がＮＯになり、ステップ１０１１に進み、トークボタン４がオン信号を制御部１４に出力すると、ステップ１００９での判断がＹＥＳになり、ステップ１００６を経由して図６のステップ４０５の設定モードに移行する。ステップ１０１１では、電源スイッチ３の状態を判断する。電源スイッチ３が電源オン信号を制御部１４に出力していれば、電源スイッチ３が電源オンに操作された状態であるので、ステップ１０１１での判断がＮＯになり、ステップ１０１１に戻る。電源スイッチ３が電源オン信号を制御部１４に出力していなければ、電源スイッチ３が電源オフに操作された状態であるので、ステップ１０１１での判断がＹＥＳになり、着信番号限定動作の設定変更モード処理を終了する。
【０１０１】
図１７を参照し、音声ガイダンスの設定変更モード処理について説明する。音声ガイダンスの設定変更モード処理は、図１の設定モード手段２８が行なう処理であり、図６のステップ４０５示すようにＣＰＵ２１が設定モードに設定された場合において、図示は省略したが、携帯電話機１がリモートロックされていないつまりリモートロックの解除された状態において、トークボタン４が４回操作された後に、チェックボタン５が１回操作されることにより、ＣＰＵ２１が音声ガイダンスの設定モードになるようになっている。
【０１０２】
具体的には、ＣＰＵ２１が着信番号限定動作の設定変更モードに設定されて、図１７の処理が始まると、ステップ１１０１において、再生設定有りかを判断する。再生設定有りでなければ、ステップ１１０１での判断がＮＯになり、ステップ１１０６に進み、再生設定有りであれば、ステップ１１０１での判断がＹＥＳになり、ステップ１１０２に進む。ステップ１１０２では、音声ガイダンスの再生設定を無効にし、ステップ１１０３に進む。ステップ１１０３では、設定モード手段２８による音声ガイダンスの処理が行われる。この音声ガイダンスの処理では、設定モード手段２８が音声ガイダンスデータベース３２から再生設定の無効に対応する音声案内情報を抽出し、その抽出した音声案内情報により電気信号をスピーカ１１に供給する。これにより、スピーカ１１が上記音声案内情報による音声を、例えば「起動時の音声ガイダンスを無効にしました。続けて設定の変更を行う場合はトークボタンを操作して下さい。終了する場合は電源スイッチをお切り下さい。」と放出し、ステップ１１０４に進む。ステップ１１０４では、トークボタン４の状態を判断する。トークボタン４がオン信号を制御部１４に出力しなければ、ステップ１１０４での判断がＮＯになり、ステップ１１０９に進み、トークボタン４がオン信号を制御部１４に出力すると、ステップ１１０４での判断がＹＥＳになり、ステップ１１０５に進む。ステップ１１０５では、図６のステップ４０５の設定モードに移行する。
【０１０３】
ステップ１１０６では、音声ガイダンスの再生設定を有効にし、ステップ１１０７に進む。ステップ１１０７では、設定モード手段２８による音声ガイダンスの処理が行われる。この音声ガイダンスの処理では、設定モード手段２８が音声ガイダンスデータベース３２から再生設定の有効に対応する音声案内情報を抽出し、その抽出した音声案内情報により電気信号をスピーカ１１に供給する。これにより、スピーカ１１が上記音声案内情報による音声を、例えば「起動時の音声ガイダンスを有効にしました。続けて設定の変更を行う場合はトークボタンを操作して下さい。終了する場合は電源スイッチをお切り下さい。」と放出し、ステップ１１０８に進む。ステップ１１０８では、トークボタン４の状態を判断する。トークボタン４がオン信号を制御部１４に出力しなければ、ステップ１１０８での判断がＮＯになり、ステップ１１０９に進み、トークボタン４がオン信号を制御部１４に出力すると、ステップ１１０８での判断がＹＥＳになり、ステップ１１０５を経由して図６のステップ４０５の設定モードに移行する。ステップ１１０９では、電源スイッチ３の状態を判断する。電源スイッチ３が電源オン信号を制御部１４に出力していれば、電源スイッチ３が電源オンに操作された状態であるので、ステップ１１０９での判断がＮＯになり、ステップ１１０９に戻る。電源スイッチ３が電源オン信号を制御部１４に出力していなければ、電源スイッチ３が電源オフに操作された状態であるので、ステップ１１０９での判断がＹＥＳになり、音声ガイダンスの設定モード処理を終了する。
【０１０４】
図１８を参照し、実施の形態に係る携帯電話機１の外観構造について説明する。携帯可能な容器４１は、人の掌で握ることの可能な大きさの小判型の造形であり、小判型の表面に音放出孔部４２とトークボタン４とを備え、側面における一端部側に発光部４３を備え、側面における他端部側に集音孔部４４を備え、側面における一端部と他端部とを繋ぐ一側部にチェックボタン５とキーロックスイッチ６とを備える。
【０１０５】
図１８には図示を省略したが、携帯可能な容器４１には、図１に示す電池２、無線送受信部８、アンテナ９、マイクロホン１０、スピーカ１１、表示灯１２、バイブレータ１３、制御部１４、記憶部１５、トークボタン４が操作されるのに伴いオン信号を出力するスイッチ部、チェックボタン５が操作されるのに伴いオン信号を出力するスイッチ部、キーロックスイッチ６が操作されるのに伴いオン信号を出力するスイッチ部が設置される。マイクロホン１０は集音孔部４４に対応して設置され、スピーカ１１は音放出孔部４２に対応して設置され、表示灯１２を構成する図外のＬＥＤは発光部４３に対応して設置される。
【０１０６】
図１９を参照し、実施の形態に係る携帯電話機１の電池２を収容する内部構造について説明する。携帯可能な容器４１には、電池収容室４５が容器４１の裏面に開口しかつ裏面から内部に窪む凹部として造形される。電池収容室４５には、３本の単４の電池２が川の字に並んで収容されることにより直列に接続される。電池収容室４５の囲む周縁部の一側部の裏面側面には、電源スイッチ３が設置される。電源スイッチ３は、人により発光部４３の側から集音孔部４４の側に滑るように移動させられることにより電源オンになり、人により集音孔部４４の側から発光部４３の側に滑るように移動させられることにより電源オフになるようになっている。電池収容室４５の囲む周縁部の発光部４３側と集音孔部４４側とには、容器側連結部４６；４７が設けられる。蓋４８は、電池収容室４５の開口を塞ぐ大きさである。蓋４８には、蓋側連結部４９；５０と指接触部５１とが設けられる。
【０１０７】
そして、電池２が電池収容室４５に収容された後、蓋４８の蓋側連結部４９；５０が容器側連結部４６；４７と例えば発光部４３の側から集音孔部４４の側に位置をずらして、蓋４８が電池収容室４５の開口に配置された後に人により集音孔部４４の側から発光部４３の側に滑るように移動させられることにより容器側連結部４６；４７と蓋側連結部４９；５０とが互いに嵌合し、蓋４８が電池収容室４５の開口を塞いで容器４１の裏面に固定される。このように蓋４８が電池収容室４５の開口を塞いで容器４１の裏面に固定された場合、電源スイッチ３が携帯可能な容器４１に電池２を収容する電池収容室４５の開口を塞ぐ蓋４８で被覆されて外部から目隠しされた状態になるので、容器４１の外部から電源スイッチ３の存在を認識することができなくなり、防犯上、利点がある。容器４１の側面における一端部と他端部とを繋ぐ他側部には、着信音量スイッチ７が設置される。容器４１の裏面側にはストラップ取付部５２が発光部４３の側に位置して設けられる。
【符号の説明】
【０１０８】
１は携帯電話機、２は電池、３は電源スイッチ、４はトークボタン、５はチェックボタン、６はキーロックスイッチ、７は着信音量スイッチ、８は無線送受信部、９はアンテナ、１０はマイクロホン、１１はスピーカ、１２は表示灯、１３はバイブレータ、１４は制御部、１５は記憶部、１６乃至２０は欠番、２１はＣＰＵ、２２はＲＯＭ、２３はＲＡＭ、２４は発信制御手段、２５は着信制御手段、２６は特殊操作手段、２７は登録モード手段、２８は設定モード手段、２９；３０は欠番、３１は発信先電話番号データベース、３２は音声ガイダンスデータベース、３３は表示灯データベース、３４乃至４０は欠番、４１は容器、４２は音放出孔部、４３は発光部、４４は集音孔部、４５は電池収容室、４６；４７は容器側連結部、４８は蓋、４９；５０は蓋側連結部、５１は指接触部、５２はストラップ取付部。
【図１】
2013214847.tif 000003
【図２】
2013214847.tif 000004
【図３】
2013214847.tif 000005
【図４】
2013214847.tif 000006
【図５】
2013214847.tif 000007
【図６】
2013214847.tif 000008
【図７】
2013214847.tif 000009
【図８】
2013214847.tif 000010
【図９】
2013214847.tif 000011
【図１０】
2013214847.tif 000012
【図１１】
2013214847.tif 000013
【図１２】
2013214847.tif 000014
【図１３】
2013214847.tif 000015
【図１４】
2013214847.tif 000016
【図１５】
2013214847.tif 000017
【図１６】
2013214847.tif 000018
【図１７】
2013214847.tif 000019
【図１８】
2013214847.tif 000020
【図１９】
2013214847.tif 000021